(57)【要約】  趣味嗜好推定装置(10)は、ユーザの訪問先である訪問ＰＯＩの訪問日時情報および訪問ＰＯＩのカテゴリ情報を含む訪問ＰＯＩ情報を取得する訪問ＰＯＩ情報取得部(14)と、取得された訪問ＰＯＩ情報を用いて、訪問ＰＯＩの訪問日時に応じて、訪問ＰＯＩのカテゴリ情報に基づくユーザの趣味嗜好の推定を行う趣味嗜好推定部(15)と、を備える。
2019202783.tif 000002
【特許請求の範囲】
【請求項１】
ユーザの訪問先である訪問ＰＯＩの訪問日時情報および訪問ＰＯＩのカテゴリ情報を含む訪問ＰＯＩ情報を取得する訪問ＰＯＩ情報取得部と、
前記訪問ＰＯＩ情報取得部により取得された前記訪問ＰＯＩ情報を用いて、前記訪問ＰＯＩの訪問日時に応じて、前記訪問ＰＯＩのカテゴリ情報に基づく前記ユーザの趣味嗜好の推定を行う趣味嗜好推定部と、
を備える趣味嗜好推定装置。
【請求項２】
前記趣味嗜好推定部は、訪問ＰＯＩに対応付ける趣味嗜好種別を、当該訪問ＰＯＩへの訪問日時に応じて切り替える、
ことを特徴とする請求項１に記載の趣味嗜好推定装置。
【請求項３】
前記趣味嗜好推定部は、訪問日時が予め定められた条件に合致する訪問に係る訪問ＰＯＩ情報のみを基礎として、前記ユーザの趣味嗜好の推定を行う、
ことを特徴とする請求項１又は２に記載の趣味嗜好推定装置。
【請求項４】
前記趣味嗜好推定部は、趣味嗜好種別ごとに訪問ＰＯＩへの訪問日数を累積し、所定期間おきに、趣味嗜好種別ごとの累積訪問日数、又は、当該累積訪問日数に応じて定められる趣味嗜好の強さを示す指標値に、重要度を軽くするための忘却係数を乗算し、趣味嗜好種別ごとの乗算後の累積訪問日数又は乗算後の指標値に基づいて、前記ユーザの趣味嗜好の推定を行う、
ことを特徴とする請求項１〜３の何れか一項に記載の趣味嗜好推定装置。
【請求項５】
趣味嗜好推定装置によって実行される趣味嗜好推定方法であって、
ユーザの訪問先である訪問ＰＯＩの訪問日時情報および訪問ＰＯＩのカテゴリ情報を含む訪問ＰＯＩ情報を取得するステップと、
取得された前記訪問ＰＯＩ情報を用いて、前記訪問ＰＯＩの訪問日時に応じて、前記訪問ＰＯＩのカテゴリ情報に基づく前記ユーザの趣味嗜好の推定を行うステップと、
を備える趣味嗜好推定方法。
【発明の詳細な説明】
【技術分野】
【０００１】
本発明は、ユーザの趣味嗜好を推定する趣味嗜好推定装置および趣味嗜好推定方法に関する。
【背景技術】
【０００２】
ユーザの訪問先となり得る施設（Point  of  Interest（以下「ＰＯＩ」という）の位置を予め記憶しておき、ユーザの位置を示す位置情報を取得し、該位置情報によって示されるユーザの滞留位置とＰＯＩの位置との関係（例えば両者の距離）に基づいて、当該ユーザの訪問先である訪問ＰＯＩを推定し、得られた訪問ＰＯＩに基づいて当該ユーザの趣味嗜好を推定する技術が知られている。【０００３】
このような技術において、ある訪問ＰＯＩへの訪問に関し、訪問間隔が短いほど、滞在時間が長いほど、訪問回数が多くなるほど、当該訪問ＰＯＩへの関心度が高くなるとの知見が知られている（下記の特許文献１参照）。
【先行技術文献】
【特許文献】
【０００４】
【特許文献１】特開２０１７−１５１８５２号公報
【発明の概要】
【発明が解決しようとする課題】
【０００５】
ユーザの趣味嗜好の中には、例えば、スキー・スケート等のように実際には特定の季節に行われるものが存在する。そのため、ユーザの訪問ＰＯＩから趣味嗜好をより精度良く推定する上では、訪問した季節、日時等を考慮することが望まれるものの、訪問した季節、日時等は未だあまり考慮されておらず、改良の余地があった。【０００６】
そこで、本発明は、訪問日時に応じて、適切に訪問ＰＯＩに基づく趣味嗜好の推定を行うことを目的とする。
【課題を解決するための手段】
【０００７】
本発明の一実施形態に係る趣味嗜好推定装置は、ユーザの訪問先である訪問ＰＯＩの訪問日時情報および訪問ＰＯＩのカテゴリ情報を含む訪問ＰＯＩ情報を取得する訪問ＰＯＩ情報取得部と、前記訪問ＰＯＩ情報取得部により取得された前記訪問ＰＯＩ情報を用いて、前記訪問ＰＯＩの訪問日時に応じて、前記訪問ＰＯＩのカテゴリ情報に基づく前記ユーザの趣味嗜好の推定を行う趣味嗜好推定部と、を備える。【０００８】
上記の趣味嗜好推定装置では、訪問ＰＯＩ情報取得部が、訪問ＰＯＩの訪問日時情報および訪問ＰＯＩのカテゴリ情報を含む訪問ＰＯＩ情報を取得し、趣味嗜好推定部が、取得された訪問ＰＯＩ情報を用いて、訪問ＰＯＩの訪問日時に応じて、訪問ＰＯＩのカテゴリ情報に基づくユーザの趣味嗜好の推定を行う。このように、取得された訪問ＰＯＩ情報に含まれる訪問ＰＯＩの訪問日時に応じて、当該訪問ＰＯＩ情報に含まれる訪問ＰＯＩのカテゴリ情報に基づくユーザの趣味嗜好の推定を行うことで、従来技術とは異なり、訪問ＰＯＩの訪問日時（例えば訪問した季節、日時等）を考慮した上で、ユーザの訪問ＰＯＩから趣味嗜好をより精度良く推定することができる。
【発明の効果】
【０００９】
本発明によれば、訪問日時に応じて、適切に訪問ＰＯＩに基づく趣味嗜好の推定を行うことができる。
【図面の簡単な説明】
【００１０】
【図１】発明の実施形態に係る趣味嗜好推定装置の機能ブロック構成図である。
【図２】各種テーブルの概要を説明するための図であり、（ａ）は訪問ＰＯＩテーブルの概要を示す図であり、（ｂ）は趣味嗜好定義テーブルの概要を示す図であり、（ｃ）は趣味嗜好スコアテーブルの概要を示す図である。
【図３】趣味嗜好推定の処理概要を説明するための図である。
【図４】趣味嗜好推定に係る日次処理を示すフロー図である。
【図５】趣味嗜好推定に係る月次処理を示すフロー図である。
【図６】趣味嗜好推定装置のハードウェア構成例を示す図である。
【発明を実施するための形態】
【００１１】
以下、図面を参照しながら、本発明に係る一実施形態を説明する。
【００１２】
［趣味嗜好推定装置の構成について］
図１に示すように、本実施形態に係る趣味嗜好推定装置１０は、訪問ＰＯＩテーブル１１、趣味嗜好定義テーブル１２、趣味嗜好スコアテーブル１３、訪問ＰＯＩ情報取得部１４、および、趣味嗜好推定部１５を備える。
【００１３】
訪問ＰＯＩテーブル１１は、ユーザの訪問先である訪問ＰＯＩに関する情報を記憶したテーブルであり、例えば、図２（ａ）に示すように、対応する滞留位置ＩＤ、訪問ＰＯＩを識別するためのＰＯＩ＿ＩＤ、訪問ＰＯＩの名称であるＰＯＩ名称、訪問ＰＯＩのカテゴリを識別するためのＰＯＩカテゴリＩＤ、訪問ＰＯＩを訪問した日時を示す訪問日時などの情報を記憶している。
【００１４】
趣味嗜好定義テーブル１２は、後述する趣味嗜好推定処理を行う際に用いられる、さまざまな趣味嗜好について予め定められた処理パラメータ（重み値、忘却係数など）を記憶したテーブルであり、例えば、図２（ｂ）に示すように、趣味嗜好を識別するための趣味嗜好ＩＤ、趣味嗜好の名称である趣味嗜好名、当該趣味嗜好に予め紐付けられたＰＯＩカテゴリを識別するためのＰＯＩカテゴリＩＤ、予め定められた処理パラメータ（重み値、忘却係数、集計対象期間、集計対象時刻、月間加算上限値、スコア上限値）などの情報を記憶している。
【００１５】
趣味嗜好スコアテーブル１３は、後述する趣味嗜好推定処理により得られる各ユーザについての趣味嗜好種別ごとの趣味嗜好度合いの強さを示す指標値（本実施形態では「スコア」と称する）に関する情報を記憶したテーブルであり、例えば、図２（ｃ）に示すように、ユーザを識別するためのユーザＩＤ、当該ユーザの趣味嗜好を識別するための趣味嗜好ＩＤ、当該趣味嗜好に関するスコア、当該スコアに当月に加算された重み値の累計値である当月スコア加算累計値、当該スコアへの加算が行われた最終日時である最終スコア加算日時などの情報を記憶している。
【００１６】
訪問ＰＯＩ情報取得部１４は、訪問ＰＯＩテーブル１１から、訪問ＰＯＩ情報（例えば少なくとも、ユーザの訪問先である訪問ＰＯＩの訪問日時および訪問ＰＯＩのＰＯＩカテゴリＩＤを含む情報）を取得する。
【００１７】
趣味嗜好推定部１５は、詳細は後述するが、訪問ＰＯＩ情報取得部１４により取得された訪問ＰＯＩ情報を用いて、訪問ＰＯＩの訪問日時に応じて、訪問ＰＯＩのＰＯＩカテゴリに基づくユーザの趣味嗜好の推定処理を行う。当該推定処理では、趣味嗜好定義テーブル１２に記憶された処理パラメータおよび趣味嗜好スコアテーブル１３に記憶された趣味嗜好種別ごとのスコアに関する情報が参照され、当該推定処理で得られた新たなスコアに関する情報は趣味嗜好スコアテーブル１３に記憶される（即ち、新たな情報の新規追加又は更新が行われる）。
【００１８】
なお、趣味嗜好推定装置１０が訪問ＰＯＩテーブル１１、趣味嗜好定義テーブル１２および趣味嗜好スコアテーブル１３を備えることは必須ではなく、これらテーブルのうち１つ以上のテーブルは、趣味嗜好推定装置１０の外部に設けられ、趣味嗜好推定装置１０との間で情報の送受信を行ってもよい。
【００１９】
［趣味嗜好推定処理について］
以下、図３〜図５を用いて、本実施形態の趣味嗜好推定方法に係る趣味嗜好推定処理について説明する。趣味嗜好推定処理としては、例えば、毎日実行される日次処理（図４）と毎月実行される月次処理（図５）とが有り、以下順に説明する。
【００２０】
図４に示すように、日次処理では、まず、訪問ＰＯＩ情報取得部１４が、訪問日時情報をキーにして（Ｎ＋１）日前からＮ日前にかけての訪問ＰＯＩ情報を訪問ＰＯＩテーブル１１から取得して趣味嗜好推定部１５に渡す（ステップＳ１）。なお、上記「Ｎ」は予め定められた正の整数である。
【００２１】
趣味嗜好推定部１５は、未処理の１つの趣味嗜好種別を対象に設定し（ステップＳ２）、上記訪問ＰＯＩ情報を参照して、対象の趣味嗜好種別に関し訪問が有ったか否かを判断する（ステップＳ３）。ここで例えば、趣味嗜好推定部１５は、趣味嗜好定義テーブル１２を参照して対象の趣味嗜好種別に対応付けられたＰＯＩカテゴリＩＤを取得し、該ＰＯＩカテゴリＩＤを含んだ訪問ＰＯＩ情報が、訪問ＰＯＩ情報取得部１４から受け取った訪問ＰＯＩ情報に含まれるか否かによって、訪問が有ったか否かを判断してもよい。
【００２２】
ステップＳ３で訪問が無かった場合は後述のステップＳ１２へ進み、一方、訪問が有った場合は趣味嗜好定義テーブル１２から該当のＰＯＩカテゴリに関する重み値、集計対象期間および集計対象時刻を取得する（ステップＳ４）。
【００２３】
そして、趣味嗜好推定部１５は、訪問ＰＯＩ情報取得部１４から受け取った訪問ＰＯＩ情報に含まれる訪問日時を参照し、当該訪問日時が集計対象期間内であるか否かおよび当該訪問日時が集計対象時刻をまたぐ訪問であるか否かによって、訪問ＰＯＩ情報が集計対象を含むか否かを判断する（ステップＳ５）。
【００２４】
図３のデータ例では、「スキー・スノーボード場」は、集計対象期間「５月１日〜１１月３０日」については趣味嗜好種別「レジャー（趣味嗜好ＩＤ＝１１０１）」に紐付けられ、集計対象期間「１２月１日〜４月３０日」については趣味嗜好種別「スキー・スノボ（趣味嗜好ＩＤ＝１３０２）」に紐付けられている。そのため、例えば訪問ＰＯＩ情報が「８月１日にスキー・スノーボード場へ訪問」を含んでいる場合、訪問日時に照らし、当該訪問ＰＯＩ情報は趣味嗜好種別「レジャー（趣味嗜好ＩＤ＝１１０１）」に係る集計対象を含むと判断され、例えば訪問ＰＯＩ情報が「２月１日にスキー・スノーボード場へ訪問」を含んでいる場合、訪問日時に照らし、当該訪問ＰＯＩ情報は趣味嗜好種別「スキー・スノボ（趣味嗜好ＩＤ＝１３０２）」に係る集計対象を含むと判断される。
【００２５】
また、図３のデータ例では、趣味嗜好種別「宿泊（趣味嗜好ＩＤ＝１２０１）」については集計対象時刻が「ＡＭ２：００」に設定されているため、訪問ＰＯＩ情報（あるホテルへの訪問）に含まれる訪問日時が集計対象時刻「ＡＭ２：００」をまたぐ場合に、当該訪問ＰＯＩ情報は趣味嗜好種別「宿泊（趣味嗜好ＩＤ＝１２０１）」に係る集計対象を含むと判断される。
【００２６】
一方、図４のステップＳ５において、訪問日時が集計対象期間内である訪問ＰＯＩ情報、又は、訪問日時が集計対象時刻をまたぐ訪問である訪問ＰＯＩ情報のいずれも存在しない場合は、訪問ＰＯＩ情報が集計対象を含んでいないと判断され、後述のステップＳ１２へ進む。一方、訪問日時が集計対象期間内である訪問ＰＯＩ情報、および、訪問日時が集計対象時刻をまたぐ訪問である訪問ＰＯＩ情報の少なくとも一方が存在する場合は、訪問ＰＯＩ情報が集計対象を含んでいると判断され、趣味嗜好推定部１５は、趣味嗜好定義テーブル１２から該当の趣味嗜好種別のスコア上限値と月間加算上限値とを取得し（ステップＳ６）、趣味嗜好スコアテーブル１３から該当の趣味嗜好種別の当月スコア加算累計値を取得する（ステップＳ７）。
【００２７】
そして、趣味嗜好推定部１５は、該当の趣味嗜好種別の当月スコア加算累計値に重み値を加算した後の値と該当の趣味嗜好種別の月間加算上限値とを比較することで、重み値の加算により当月スコア加算累計値が月間加算上限値を超えないことを確認する（ステップＳ８）。ここで、重み値の加算後の当月スコア加算累計値が月間加算上限値を超える場合は後述のステップＳ１２へ進み、一方、重み値の加算後の当月スコア加算累計値が月間加算上限値を超えない場合、趣味嗜好推定部１５は趣味嗜好スコアテーブル１３から該当の趣味嗜好種別の現状スコアを取得する（ステップＳ９）。
【００２８】
そして、趣味嗜好推定部１５は、該当の趣味嗜好種別の現状スコアに重み値を加算した後の値と該当の趣味嗜好種別のスコア上限値とを比較することで、重み値の加算後のスコアがスコア上限値を超えないことを確認する（ステップＳ１０）。ここで、重み値の加算後のスコアがスコア上限値を超える場合は後述のステップＳ１２へ進み、一方、重み値の加算後のスコアがスコア上限値を超えない場合は、該当の趣味嗜好種別のスコアおよび当月スコア加算値のそれぞれに重み値を加算し、加算後のスコア、加算後の当月スコア加算値および最終スコア加算日時をもって、趣味嗜好スコアテーブル１３に記憶されている現状の情報を更新する（ステップＳ１１）。後述する図３の例では、該当の趣味嗜好種別のスコアに重み値「１．０」を加算する例を示すが、これは、該当の趣味嗜好種別に対応する訪問ＰＯＩへの「累積訪問日数」をスコアとしてカウントする処理を示している。ただし、該当の趣味嗜好種別のスコアに重み値を加算する処理に限定されるものではなく、スコアに重み値を乗算する処理など、その他の処理を用いても良い。
【００２９】
さらに、ステップＳ１２では、全ての趣味嗜好種別について、上記ステップＳ２〜Ｓ１１の処理が実行済みであるか否かを判断し、実行済みでない趣味嗜好種別が有れば、ステップＳ２へ戻り、未処理の１つの趣味嗜好種別を対象として上記ステップＳ２〜Ｓ１１の処理を実行する。このようにして、趣味嗜好種別の１つ１つについて上記ステップＳ２〜Ｓ１１の処理を繰り返し実行していき、全ての趣味嗜好種別について上記ステップＳ２〜Ｓ１１の処理を実行完了した時点で、ステップＳ１２で実行済みでない趣味嗜好種別は無いと判断され、図４の処理を終了する。
【００３０】
図５に示すように、月次処理では、趣味嗜好推定部１５は、趣味嗜好定義テーブル１２から趣味嗜好種別ごとに忘却係数を取得し（ステップＳ２１）、趣味嗜好種別ごとのスコアに、当該趣味嗜好種別に対応する忘却係数を乗算する（ステップＳ２２）。その後、趣味嗜好種別ごとの乗算後のスコアをもって、趣味嗜好スコアテーブル１３に記憶されている趣味嗜好種別ごとの現状スコアが更新される。上記の忘却係数には１未満の正の定数が予め設定されており、ステップＳ２２での忘却係数の乗算により、趣味嗜好種別ごとのスコアは現状値よりも小さい値に更新される。なお、ここでは、趣味嗜好種別ごとのスコアに、当該趣味嗜好種別に対応する忘却係数を乗算する例を示したが、乗算に限定されるものではなく、スコアから忘却係数を減算する処理など、その他の処理を用いても良い。また、上述した日次処理および月次処理に関する処理頻度、処理内容等は一例であり、上述した内容に限定されるものではなく、さまざまな態様を採用してもよい。
【００３１】
以上のような日次処理および月次処理が定期的に実行され、ある時点で、趣味嗜好推定部１５は、趣味嗜好スコアテーブル１３に記憶されている対象ユーザに関する趣味嗜好種別ごとの現状スコアに基づいて、対象ユーザの趣味嗜好を推定する。その際、例えば、現状スコアが所定の閾値以上である趣味嗜好種別の全てを対象ユーザの趣味嗜好として推定してもよいし、現状スコアが高い順から上位の所定数に対応する趣味嗜好種別を対象ユーザの趣味嗜好として推定してもよい。また、日次処理の最後の処理ステップとして、又は、月次処理の最後の処理ステップとして、上記のような対象ユーザに関する趣味嗜好種別ごとの現状スコアに基づく対象ユーザの趣味嗜好推定を行ってもよい。
【００３２】
ここで、図３の具体例を参照して、上記日次処理および月次処理を補足説明する。ユーザＡが新たに動物園を訪問したとすると、図３に示すように業種名「動物園」に関する重み値は「１．０」であるため、日次処理において、「動物園」に紐付けられた趣味嗜好種別「レジャー（趣味嗜好ＩＤ＝１１０１）」に関するユーザＡの現状スコア「２．０」に、「動物園」に関する重み値「１．０」が加算されて、趣味嗜好種別「レジャー」に関するユーザＡのスコアは加算後のスコア「３．０」に更新される。その後、月次処理が行われると、趣味嗜好種別「レジャー」に関する忘却係数「０．８」が、趣味嗜好種別「レジャー」に関するユーザＡの当該時点のスコア「３．０」に乗算され、趣味嗜好種別「レジャー」に関するユーザＡのスコアは乗算後の「２．４」に更新される。
【００３３】
また、現状スコアが所定の閾値以上である趣味嗜好種別の全てを対象ユーザの趣味嗜好として推定する場合、上記閾値を「１．０」とすると、ユーザＡについては、当該閾値以上のスコア「２．４」に対応する趣味嗜好種別「レジャー（趣味嗜好ＩＤ＝１１０１）」、および、当該閾値以上のスコア「３．２４」に対応する趣味嗜好種別「スキー・スノボ（趣味嗜好ＩＤ＝１３０２）」が、ユーザＡの趣味嗜好として推定される。同様に、ユーザＢについては、当該閾値以上でないスコア「０．９」に対応する趣味嗜好種別「テーマパーク（趣味嗜好ＩＤ＝１１０２）」」は除外され、当該閾値以上のスコア「２．０」に対応する趣味嗜好種別「美術館（趣味嗜好ＩＤ＝１００１）」」が、ユーザＢの趣味嗜好として推定される。
【００３４】
以上説明した本実施形態によれば、訪問ＰＯＩの訪問日時（例えば訪問した季節、日時等）を考慮した上で、ユーザの訪問ＰＯＩから趣味嗜好を精度良く推定することができる。
【００３５】
より具体的には、訪問ＰＯＩに対応付ける趣味嗜好種別を、当該訪問ＰＯＩへの訪問日時に応じて切り替える実施形態、例えば、図３の例で「スキー・スノーボード場」を、集計対象期間「５月１日〜１１月３０日」については趣味嗜好種別「レジャー（趣味嗜好ＩＤ＝１１０１）」に紐付け、集計対象期間「１２月１日〜４月３０日」については趣味嗜好種別「スキー・スノボ（趣味嗜好ＩＤ＝１３０２）」に紐付けることにより、訪問ＰＯＩへの訪問日時に応じて、趣味嗜好をより精度良く推定することができる。同様に、図３の例で趣味嗜好種別「宿泊（趣味嗜好ＩＤ＝１２０１）」について集計対象時刻を「ＡＭ２：００」に設定することで、訪問ＰＯＩ情報（あるホテルへの訪問）に含まれる訪問日時が集計対象時刻「ＡＭ２：００」をまたぐ場合に、当該訪問ＰＯＩ情報は趣味嗜好種別「宿泊（趣味嗜好ＩＤ＝１２０１）」に係る集計対象を含むと判断され、「宿泊」であることを確実に判断することができる。
【００３６】
また、訪問日時が予め定められた条件に合致する訪問に係る訪問ＰＯＩ情報のみを基礎として、ユーザの趣味嗜好の推定を行うことで、無関係な訪問ＰＯＩ情報についての処理を無くし、処理を効率化できる。
【００３７】
また、図３、図４の処理例で、趣味嗜好種別のスコアに重み値「１．０」を加算することで、該当の趣味嗜好種別に対応する訪問ＰＯＩへの「累積訪問日数」をスコアとしてカウントするので、訪問ＰＯＩ推定に係る情報は当該処理後に不要となり、膨大な量に上る訪問ＰＯＩ推定に係る情報を記憶しなくて済む。また、図５の月次処理で、当該時点のスコアに、重要度を軽くするための忘却係数（例えば、０．８）を乗算し、乗算後のスコアに更新することで、訪問時からの経過時間が長いものほど、趣味嗜好推定における重要度を軽くすることができる。
【００３８】
上記の実施形態の説明で用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００３９】
例えば、上記の実施形態における趣味嗜好推定装置１０は、上述した趣味嗜好推定装置１０の処理を行うコンピュータとして機能してもよい。図６は、趣味嗜好推定装置１０のハードウェア構成の一例を示す図である。上述の趣味嗜好推定装置１０は、物理的には、プロセッサ１００１、メモリ１００２、ストレージ１００３、通信装置１００４、入力装置１００５、出力装置１００６、バス１００７などを含むコンピュータ装置として構成されてもよい。
【００４０】
なお、以下の説明では、「装置」という文言は、回路、デバイス、ユニットなどに読み替えることができる。趣味嗜好推定装置１０のハードウェア構成は、図に示した各装置を１つ又は複数含むように構成されてもよいし、一部の装置を含まずに構成されてもよい。
【００４１】
趣味嗜好推定装置１０における各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【００４２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、趣味嗜好推定装置１０の各機能部は、プロセッサ１００１を含んで実現されてもよい。
【００４３】
また、プロセッサ１００１は、プログラム（プログラムコード）、ソフトウェアモジュール、データ等を、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、趣味嗜好推定装置１０の各機能部は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００４４】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施形態に係る方法を実施するために実行可能なプログラム（プログラムコード）、ソフトウェアモジュールなどを保存することができる。
【００４５】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００４６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の趣味嗜好推定装置１０の各機能部は、通信装置１００４を含んで実現されてもよい。
【００４７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００４８】
また、プロセッサ１００１、メモリ１００２などの各装置は、情報を通信するためのバス１００７で接続される。バス１００７は、単一のバスで構成されてもよいし、装置間で異なるバスで構成されてもよい。
【００４９】
また、趣味嗜好推定装置１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００５０】
以上、本実施形態について詳細に説明したが、当業者にとっては、本実施形態が本明細書中に説明した実施形態に限定されるものではないということは明らかである。本実施形態は、特許請求の範囲の記載により定まる本発明の趣旨及び範囲を逸脱することなく修正及び変更態様として実施することができる。したがって、本明細書の記載は、例示説明を目的とするものであり、本実施形態に対して何ら制限的な意味を有するものではない。
【００５１】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００５２】
入出力された情報などは特定の場所(例えば、メモリ)に保存されてもよいし、管理テーブルで管理してもよい。入出力される情報などは、上書き、更新、または追記され得る。出力された情報などは削除されてもよい。入力された情報などは他の装置へ送信されてもよい。
【００５３】
判定は、１ビットで表される値（０か１か）によって行われてもよいし、真偽値（Boolean：trueまたはfalse）によって行われてもよいし、数値の比較（例えば、所定の値との比較）によって行われてもよい。
【００５４】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００５５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００５６】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００５７】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００５８】
また、本明細書で説明した情報、パラメータなどは、絶対値で表されてもよいし、所定の値からの相対値で表されてもよいし、対応する別の情報で表されてもよい。
【００５９】
移動通信端末は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００６０】
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００６１】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００６２】
「含む（include）」、「含んでいる（including）」、およびそれらの変形が、本明細書あるいは特許請求の範囲で使用されている限り、これら用語は、用語「備える(comprising)」と同様に、包括的であることが意図される。さらに、本明細書あるいは特許請求の範囲において使用されている用語「または（or）」は、排他的論理和ではないことが意図される。
【００６３】
本明細書において、文脈または技術的に明らかに１つのみしか存在しない装置である場合以外は、複数の装置をも含むものとする。本開示の全体において、文脈から明らかに単数を示したものではなければ、複数のものを含むものとする。
【符号の説明】
【００６４】
１０…趣味嗜好推定装置、１１…訪問ＰＯＩテーブル、１２…趣味嗜好定義テーブル、１３…趣味嗜好スコアテーブル、１４…訪問ＰＯＩ情報取得部、１５…趣味嗜好推定部、１００１…プロセッサ、１００２…メモリ、１００３…ストレージ、１００４…通信装置、１００５…入力装置、１００６…出力装置、１００７…バス。
【図１】
2019202783.tif 000003
【図２】
2019202783.tif 000004
【図３】
2019202783.tif 000005
【図４】
2019202783.tif 000006
【図５】
2019202783.tif 000007
【図６】
2019202783.tif 000008
【国際調査報告】
2019202783.tif 000009
2019202783.tif 000010
2019202783.tif 000011